(57)【特許請求の範囲】
【請求項１】
車体側の固定部材に電気ノイズ除去用のコンデンサを取付けるコンデンサの取付構造であって、
前記コンデンサに一端部が取付けられ、かつ、前記固定部材に他端部がボルトによって締結されるブラケットを備え、
前記ブラケットの一端部と他端部との間には、凹み状の掛止部が形成されており、
前記ブラケットの他端部には、前記掛止部の開口側へ向けて突出され、かつ、前記コンデンサが有するコネクタを支持するコネクタ支持部が形成されており、
前記掛止部は、該掛止部の開口側を下向きにした状態で他部材に掛止可能に形成されている、コンデンサの取付構造。
【請求項２】
請求項１に記載のコンデンサの取付構造であって、
前記ブラケットにおける前記掛止部のコンデンサ側の端部には、該掛止部の開口側とは反対側に向けて折り曲げられた折返し部が形成されている、コンデンサの取付構造。
【請求項３】
請求項１又は２に記載のコンデンサの取付構造であって、
前記ブラケットのコネクタ支持部は、基部と、基部の先端部から前記掛止部の開口側から遠ざかる方向へ向けて傾斜状に延在するアーム部とを有している、コンデンサの取付構造。
【請求項４】
請求項２に記載のコンデンサの取付構造であって、
前記ブラケットのコネクタ支持部は、基部と、基部の先端部から前記掛止部の開口側から遠ざかる方向へ向けて傾斜状に延在するアーム部とを有しており、
前記掛止部と前記折返し部とを接続する折曲部と、前記コネクタ支持部の基部とアーム部とを接続する折曲部とは、相対する位置で前記掛止部の開口幅を狭くするように配置されている、コンデンサの取付構造。
【発明の詳細な説明】
【技術分野】
【０００１】
本発明は、主として自動車等の車体に設置される電気ノイズ除去用のコンデンサの取付構造に関する。
【背景技術】
【０００２】
自動車等の車体に設置される電気ノイズ除去用のコンデンサの取付構造の従来例を述べる。図７はコンデンサの取付構造を示す斜視図、図８は同じく構成部品を分解して示す斜視図、図９はコンデンサの仮置き状態を示す斜視図である。図８に示すように、立板状の固定部材１００は、車体側に設けられている。固定部材１００には、スタッドボルト１０２が溶接により取付けられている。固定部材１００の側端部には、回り止め凸部１０３が突出されている。
【０００３】
コンデンサ１０５は、直方体状をなし、コネクタ１０６を有している。コンデンサ１０５（詳しくはコンデンサ本体）とコネクタ１０６とは、リード線１０７を介して接続されている。コンデンサ１０５には、差込み孔１０８が形成されている。コンデンサ１０５には、ブラケット１１０が取付けられている。ブラケット１１０は、板金製で、水平方向に延在するベース部１１２を有している。ベース部１１２の一端部がコンデンサ１０５の差込み孔１０８に差込まれることによって、ブラケット１１０がコンデンサ１０５に取付けられている。ベース部１１２の他端部には、上方へ向けて立ち上がる取付部１１４が形成されている。取付部１１４の中央部には、ボルト挿通孔１１５が形成されている。取付部１１４には、回り止め片１１６が形成されている。ベース部１１２の一側部には、上方へ向かって延在するコネクタ支持部１１８が形成されている。コネクタ支持部１１８には、コンデンサ１０５のコネクタ１０６が取付けられている。
【０００４】
コンデンサ１０５を固定部材１００に取付ける場合には、図９に示すように、固定部材１００のスタッドボルト１０２にブラケット１１０のボルト挿通孔１１５を嵌合し、回り止め凸部１０３に回り止め片１１６を掛止する。これにより、コンデンサ１０５が固定部材１００に仮置きされる。次に、図７に示すように、スタッドボルト１０２にナット１２０が締め付けられることにより、固定部材１００に対するコンデンサ１０５の取付けが完了する。なお、ナット１２０の締付け時において、固定部材１００の回り止め凸部１０３に対し、ブラケット１１０の回り止め片１１６が有する段付部１１７が当接することにより、ブラケット１１０が回り止めされる。
【０００５】
また、コンデンサの取付構造としては、例えば特許文献１に記載されたものがある。特許文献１のものでは、コンデンサに設けられたアース端子が車体アース部にボルトによって固定されている。
【先行技術文献】
【特許文献】
【０００６】
【特許文献１】特開２００６−１７３４１４号公報
【発明の概要】
【発明が解決しようとする課題】
【０００７】
従来例によると、固定部材１００にスタッドボルト１０２が設けられているため、コストアップになる。また、コンデンサ１０５は、一般的に、大きさの割に重量が重い。このため、コンデンサ１０５の仮置き時、及び、ナット１２０の締付け時において、スタッドボルト１０２に対してブラケット１１０が移動することにより、スタッドボルト１０２のねじ山が潰れるおそれがある。また、特許文献１には、コンデンサの仮置きに関して何ら記載されていない。本発明の目的は、固定部材にスタッドボルトを設定することなく、コンデンサを仮置きすることのできるコンデンサの取付構造を提供することにある。
【課題を解決するための手段】
【０００８】
前記した目的は、本発明のコンデンサの取付構造により解決することができる。第１の発明は、車体側の固定部材に電気ノイズ除去用のコンデンサを取付けるコンデンサの取付構造であって、前記コンデンサに一端部が取付けられ、かつ、前記固定部材に他端部がボルトによって締結されるブラケットを備え、前記ブラケットの一端部と他端部との間には、凹み状の掛止部が形成されており、前記ブラケットの他端部には、前記掛止部の開口側へ向けて突出され、かつ、前記コンデンサが有するコネクタを支持するコネクタ支持部が形成されており、前記掛止部は、該掛止部の開口側を下向きにした状態で他部材に掛止可能に形成されている、コンデンサの取付構造である。この構成によると、コンデンサに取付られたブラケットのボルト挿通孔にボルトを挿通し、そのボルトを固定部材のネジ孔に締め付けることにより、コンデンサを固定部材に取付けることができる。ところで、コンデンサの取付作業に際して、コンデンサを固定部材等の他部材に仮置きしたい場合には、コンデンサに取付られたブラケットの掛止部を、開口側を下向きにした状態で他部材に掛止することにより、コンデンサを仮置きすることができる。このため、固定部材にスタッドボルトを設定することなく、コンデンサを仮置きすることができる。
【０００９】
第２の発明は、第１の発明において、前記ブラケットにおける前記掛止部のコンデンサ側の端部には、該掛止部の開口側とは反対側に向けて折り曲げられた折返し部が形成されている、コンデンサの取付構造である。この構成によると、コンデンサを仮置きした際に、他部材にブラケットの掛止部と折返し部とを接続する折曲部が当接するときには、その当接によってブラケットの回動が規制される。このため、その回動に伴うコンデンサの落下を抑制することができる。
【００１０】
第３の発明は、第１又は２の発明において、前記ブラケットのコネクタ支持部は、基部と、基部の先端部から前記掛止部の開口側から遠ざかる方向へ向けて傾斜状に延在するアーム部とを有している、コンデンサの取付構造である。この構成によると、コンデンサを他部材に仮置きする際に、ブラケットのコネクタ支持部が邪魔になることを抑制することができる。
【００１１】
第４の発明は、第２の発明において、前記ブラケットのコネクタ支持部は、基部と、基部の先端部から前記掛止部の開口側から遠ざかる方向へ向けて傾斜状に延在するアーム部とを有しており、前記掛止部と前記折返し部とを接続する折曲部と、前記コネクタ支持部の基部とアーム部とを接続する折曲部とは、相対する位置で前記掛止部の開口幅を狭くするように配置されている、コンデンサの取付構造である。この構成によると、ブラケットのコネクタ支持部が、基部と、基部の先端部から前記掛止部の開口側から遠ざかる方向へ向けて傾斜状に延在するアーム部とを有しているため、コンデンサを他部材に仮置きする際に、ブラケットのコネクタ支持部が邪魔になることを抑制することができる。また、掛止部と折返し部とを接続する折曲部と、コネクタ支持部の基部とアーム部とを接続する折曲部とによって、他部材に対するブラケットの掛止可能範囲が規制されることにより、ブラケットを他部材に容易に掛止することができる。
【図面の簡単な説明】
【００１２】
【図１】コンデンサの取付構造を示す斜視図である。
【図２】コンデンサの取付構造を示す断面図である。
【図３】コンデンサの取付構造にかかる構成部品を分解して示す斜視図である。
【図４】コンデンサの仮置き状態を示す概念図である。
【図５】コンデンサの仮置き状態を示す概念図である。
【図６】コンデンサの仮置き状態を示す概念図である。
【図７】コンデンサの取付構造を示す斜視図である。
【図８】コンデンサの取付構造にかかる構成部品を分解して示す斜視図である。
【図９】コンデンサの仮置き状態を示す斜視図である。
【発明を実施するための形態】
【００１３】
以下、本発明を実施するための形態について図面を用いて説明する。図１はコンデンサの取付構造を示す斜視図、図２は同じく断面図、図３は同じく構成部品を分解して示す斜視図、図４はコンデンサの仮置き状態を示す概念図である。図１〜図３における方位は、説明の便宜上、設定するものであり、コンデンサの配置方向を限定するものではない。但し、上下方向については、車体に対する上下方向すなわち天地方向に相当する。
【００１４】
図３に示すように、固定部材１０は、板金製で、車体、例えばフロントフェンダ１１のエンジンルーム側に立板状に設置されている。固定部材１０の板厚方向は、例えば、車体の車幅方向（左右方向）に向けられている。固定部材１０の上端部には、板厚方向に貫通する円形の貫通孔１２が形成されている。固定部材１０の裏面すなわち右側面には、ネジ孔１５を有するナット１４が溶接によって取付けられている。ナット１４は、貫通孔１２の軸線と同軸状に配置されている。固定部材１０には、板厚方向に貫通する回り止め孔１７が形成されている。回り止め孔１７は、貫通孔１２の下方近くに配置されている。
【００１５】
コンデンサ２０は、電気ノイズ除去用のコンデンサであって、直方体状をなし、コネクタ２２を有している。コンデンサ２０（詳しくはコンデンサ本体）とコネクタ２２とは、リード線２４を介して接続されている。コンデンサ２０の上端部には、横方向（左右方向）に貫通する差込み孔２６が形成されている。差込み孔２６は、前後方向を長くする長細孔状に形成されている。
【００１６】
コンデンサ２０には、ブラケット３０が取付けられている。ブラケット３０は、板金製で、水平方向（左右方向）に延在するベース部３２を有している。ベース部３２の板厚方向は、上下方向に向けられている。ベース部３２の一端部（左端部）がコンデンサ２０の差込み孔２６に圧入等により差込まれることによって、ブラケット３０がコンデンサ２０に取付けられている。ベース部３２におけるコンデンサ２０に差込まれた部分を、コンデンサ取付部３３という。
【００１７】
ベース部３２の他端部（右端部）には、上方へ向けて立ち上がるように折り曲げられた取付部３４が形成されている。取付部３４の板厚方向は、左右方向に向けられている。取付部３４の上端部には、板厚方向に貫通する円形のボルト挿通孔３５が形成されている。ボルト挿通孔３５は、固定部材１０のネジ孔１５に対応する。取付部３４には、右方へ突出する回り止め片３６が切り起こしによって形成されている。回り止め片３６は、ボルト挿通孔３５の下方近くに配置されており、固定部材１０の回り止め孔１７に対応する。ベース部３２及び取付部３４を含むブラケット３０の内角側の前後の両側縁部には、フランジ状に立ち上がる補強片３８が折り曲げによって形成されている。
【００１８】
取付部３４の上端部、詳しくは、前側の補強片３８の上端部には、左方へ突出する帯板状のコネクタ支持部４０が形成されている。コネクタ支持部４０の板厚方向は、前後方向に向けられている。コネクタ支持部４０は、補強片３８から左方へ突出する基部４１と、基部４１の先端部から左斜め上方へ向けて傾斜状に延在するアーム部４２とを有している。すなわち、基部４１は、掛止部４５（後出する）の開口側である左方へ向けて突出されている。また、アーム部４２は、掛止部４５の開口側から遠ざかる方向へ向けて延在している、基部４１とアーム部４２とは、円弧状の折曲部４３を介して接続されている。アーム部４２には、コンデンサ２０のコネクタ２２が取付られている。
【００１９】
ブラケット３０のベース部３２において、コンデンサ取付部３３を除いた残りの部分には、凹み状の掛止部４５が形成されている。掛止部４５は、例えば、Ｕ字形状に形成されている。掛止部４５の右側の上端部は、取付部３４に連続している。掛止部４５内が上面を開口する凹み部になっている。
【００２０】
図２に示すように、掛止部４５のコンデンサ２０側の端部、すなわち掛止部４５とコンデンサ取付部３３との間には、折返し部４７が形成されている。折返し部４７は、掛止部４５の開口側とは反対側、すなわち左方に向けて折り曲げられており、コンデンサ取付部３３と連続されている。掛止部４５と折返し部４７とは、円弧状の折曲部４８を介して接続されている。ベース部３２の折曲部４８とコネクタ支持部４０の折曲部４３とは、相対する位置で掛止部４５の開口幅（左右方向の幅）を狭くするように配置されている。掛止部４５は、開口側を下向きにした状態、すなわちブラケット３０を上下反転した状態で固定部材１０に掛止可能に形成されている（図４参照）。このとき、平面視において、ブラケット３０は、固定部材１０に対して直交状に交差するように配置される。
【００２１】
次に、コンデンサ（ブラケット３０付きコンデンサ）２０を車体の固定部材１０に取付ける手順の一例を説明する。作業者は、まず、コンデンサ２０のコネクタ２２に、車体側に配策されたワイヤハーネスのコネクタ５０（図４参照）を接続する。これにより、コネクタ２２，５０の接続忘れを抑制することができる。
【００２２】
続いて、作業者は、ブラケット３０付きコンデンサ２０を固定部材１０に仮置きする。すなわち、図４に示すように、ブラケット３０付きコンデンサ２０のブラケット３０の掛止部４５を、開口側を下向きにした状態で固定部材１０に掛止することによって、コンデンサ２０が固定部材１０に仮置きされる。これにより、作業者の両手をフリーにすることができる。なお、固定部材１０は本明細書でいう「他部材」に相当する。
【００２３】
次に、作業者は、一方の手で手持ち式のネジ締め工具（不図示）を持ち、他方の手でボルト５３（図３参照）を持ち、そのボルト５３をネジ締め工具のドライバビットにセットする。そして、空いた手で、ブラケット３０付きコンデンサ２０を手に取り、ブラケット３０の回り止め片３６を固定部材１０の回り止め孔１７に係合する（図２参照）。この状態で、ネジ締め工具により、ボルト５３をブラケット３０のボルト挿通孔３５を通して、固定部材１０のナット１４すなわちネジ孔１５に締め付ける。このとき、固定部材１０の回り止め孔１７にブラケット３０の回り止め片３６が係合していることにより、ブラケット３０が回り止めされる。これにより、固定部材１０に対するブラケット３０付きコンデンサ２０の取付けが完了する（図１及び図２参照）。なお、ボルト５３としては、例えば、六角ボルトが用いられる。
【００２４】
ところで、図４に示すように、固定部材１０にブラケット３０付きコンデンサ２０が仮置きされた場合は、固定部材１０にブラケット３０付きコンデンサ２０がバランス良く支持される。固定部材１０に対するコンデンサ２０の当接（衝突）を抑制することができる。なお、コネクタ２２，５０側には、それらの重量の他、車体側のワイヤハーネスの重量、そのワイヤハーネスの長さによってはワイヤハーネスの引張力が作用する場合がある。
【００２５】
また、図５に示すように、ベース部３２の折曲部４８が固定部材１０に当接するように、固定部材１０にブラケット３０付きコンデンサ２０が仮置きされる場合がある。この場合、固定部材１０にベース部３２の折曲部４８が当接することによって、ブラケット３０の回動が規制される。このため、ブラケット３０の回動に伴うコンデンサ２０の落下を抑制することができる。また、ブラケット３０付きコンデンサ２０の仮置きした際、場合によっては、図６に示すように、固定部材１０にブラケット３０の取付部３４が掛止される場合がある。この場合、ブラケット３０のコネクタ支持部４０の折曲部４３が固定部材１０に当接するか、もしくは、基部４１が固定部材１０に引っ掛かる。このため、コンデンサ２０の落下を抑制することができる。
【００２６】
前記したコンデンサ２０の取付構造によると、コンデンサ２０に取付られたブラケット３０のボルト挿通孔３５にボルト５３を挿通し、そのボルト５３を固定部材１０のネジ孔１５に締め付けることにより、コンデンサ２０を固定部材１０に取付けることができる（図１及び図２参照）。ところで、コンデンサ２０の取付作業に際して、コンデンサ２０を固定部材１０に仮置きしたい場合には、コンデンサ２０に取付られたブラケット３０の掛止部４５を、開口側を下向きにした状態で固定部材１０に掛止する（図４参照）。これにより、コンデンサ２０を仮置きすることができる。このため、固定部材１０にスタッドボルトを設定することなく、コンデンサ２０を仮置きすることができる。
【００２７】
ちなみに、従来例（図７〜図９参照）のコンデンサでは、固定部材にブラケットを掛止するという技術的思想がなかった。このため、ブラケット付きコンデンサを上下反転して他部材に掛止させようとしても、コンデンサ２０が自重により落下してしまい、コンデンサを固定部材に掛止することができない。
【００２８】
また、固定部材１０にスタッドボルトを設定しなくてよいので、固定部材１０側の構成を簡素化し、コストを低減することができる。また、コンデンサ２０の仮置き状態で、振動等によりブラケット３０の掛止部４５が固定部材１０からずり落ちたとしても、ブラケット３０のコネクタ支持部４０の折曲部４３が固定部材１０に当接するか、もしくは、基部４１が固定部材１０に引っ掛かるため、コンデンサ２０の落下を抑制することができる（図６参照）。また、コネクタ支持部４０がコンデンサ２０の落下防止用の部材を兼用することにより、ブラケット３０の形状を簡素化することができる。
【００２９】
また、ブラケット３０における掛止部４５のコンデンサ２０側の端部には、掛止部４５の開口側とは反対側に向けて折り曲げられた折返し部４７が形成されている。したがって、コンデンサ２０を仮置きした際に、固定部材１０にブラケット３０の掛止部４５と折返し部４７とを接続する折曲部４８が当接するときには、その当接によってブラケット３０の回動が規制される（図５参照）。このため、その回動に伴うコンデンサ２０の落下を抑制することができる。
【００３０】
また、ブラケット３０のコネクタ支持部４０は、基部４１と、基部４１の先端部から掛止部４５の開口側から遠ざかる方向へ向けて傾斜状に延在するアーム部４２とを有している。したがって、コンデンサ２０を固定部材１０に仮置きする際に、ブラケット３０のコネクタ支持部４０が邪魔になることを抑制することができる。
【００３１】
また、ベース部３２の折曲部４８とコネクタ支持部４０の折曲部４３とは、相対する位置で掛止部４５の開口幅を狭くするように配置されている。したがって、ベース部３２の折曲部４８とコネクタ支持部４０の折曲部４３とによって、固定部材１０に対するブラケット３０の掛止可能範囲が規制される。これにより、ブラケット３０を固定部材１０に容易に掛止することができる。
【００３２】
また、ブラケット３０の取付部３４と固定部材１０との間には、相互に係合可能な回り止め孔１７と回り止め片３６とからなる回り止め手段が設けられている。したがって、回り止め孔１７と回り止め片３６との係合によって、固定部材１０にブラケット３０を回り止めすることができる。
【００３３】
［他の実施形態］本発明は実施形態に限定されるものではなく、本発明の要旨を逸脱しない範囲における変更が可能である。例えば、ボルト５３には、六角ボルトの他、おねじを有する部品を用いてもよい。また、実施形態では、固定部材１０にネジ孔１５を有するナット１４を取付けたが、固定部材１０自体にネジ孔を形成してもよい。また、実施形態では、他部材として固定部材１０を用いたが、コンデンサ２０の取付部位の近傍にコンデンサ２０を仮置き可能な部材があれば、その部材を他部材として利用してもよい。
【符号の説明】
【００３４】
１０…固定部材（他部材）
２０…コンデンサ
２２…コネクタ
３０…ブラケット
４０…コネクタ支持部
４１…基部
４２…アーム部
４３…折曲部
４５…掛止部
４７…折返し部
４８…折曲部
５３…ボルト
【図１】
0006441209.tif 000002
【図２】
0006441209.tif 000003
【図３】
0006441209.tif 000004
【図４】
0006441209.tif 000005
【図５】
0006441209.tif 000006
【図６】
0006441209.tif 000007
【図７】
0006441209.tif 000008
【図８】
0006441209.tif 000009
【図９】
0006441209.tif 000010